(57)【要約】　　　（修正有）【課題】パッシブオプティカルネットワーク（ＰＯＮ）において、オプティカルラインターミナル（ＯＬＴ）とブロードバンドアクセスサーバ（ＢＡＳ）とが連携してオプティカルネットワーク（ＯＮＵ）に収容するユーザごとに帯域制御を行うパケット通信システムを実現する。【解決手段】各ユーザに設定する帯域情報をＲＡＤＩＵＳサーバ２６にあらかじめ登録しておき、ＢＡＳ２８はユーザ認証時にＲＡＤＩＵＳサーバ２６から設定情報を呼び出し、獲得したユーザ帯域情報をＯＬＴ１０へ通知することにより設定する。ＯＬＴ１０はＢＡＳ２８より設定された帯域情報を用いて、各ユーザ単位のパケットをバファリング、シェービングすることによりユーザごとの帯域制御を実現する。【効果】ＯＮＵ配下のユーザに対する帯域制御を実現することが可能となる。【選択図】　図８
2004096579.tif 000002
【特許請求の範囲】
【請求項１】
加入者終端装置（ＯＮＵ）をパッシブダブルスター方式（ＰＯＮ）によって従属接続し、上記ＰＯＮの物理レイヤ終端、および、上記ＯＮＵとの間の物理回線における帯域制御機能を有する加入者線端局装置（ＯＬＴ）と、
上記ＯＬＴに接続し、上記ＯＮＵ、および上記ＯＬＴを経由してインターネットと通信するユーザを認証するための機能を有するブロードバンドアクセスサーバ（ＢＡＳ）と、
により構成されるパケット通信システムにおいて、
上記ＢＡＳが上記ユーザの認証時に、上記ユーザの情報を管理するＲＡＤＩＵＳサーバから得る上記ユーザの情報を用い、上記ＢＡＳに設けた上記ＯＬＴへ個別に設けた制御のための物理回線よりＯＬＴの装置制御を行うことを特徴とするパケット通信システム。
【請求項２】
加入者終端装置（ＯＮＵ）をパッシブダブルスター方式（ＰＯＮ）によって従属接続し、上記ＰＯＮの物理レイヤ終端、および、上記ＯＮＵとの間の物理回線における帯域制御機能を有する加入者線端局装置（ＯＬＴ）と、
上記ＯＬＴに接続し、上記ＯＮＵ、および上記ＯＬＴを経由してインターネットと通信するユーザを認証するための機能を有するブロードバンドアクセスサーバ（ＢＡＳ）と、
により構成されるパケット通信システムにおいて、
上記ＢＡＳが上記ユーザ認証時にＲＡＤＩＵＳサーバから得る上記ユーザ情報を用い、インターネットと上記ユーザ間でやり取りされるユーザパケットを転送するために上記ＢＡＳと上記ＯＬＴ間に設ける物理回線を用いてＢＡＳとＯＬＴの間で制御パケットを送受信することにより、ＯＬＴの装置制御を行うことを特徴とする
パケット通信システム。
【請求項３】
パッシブダブルスター方式による光アクセスネットワーク（以下、ＰＯＮとする）において、上記ユーザを認証するための機能を有するブロードバンドアクセスサーバ（ＢＡＳ）を有するパケット通信システムにおいて、
ＰＯＮの物理レイヤ終端機能および帯域制御機能を設けた回線インタフェースを持ち、上記回線インタフェースに対して、ＢＡＳがユーザ認証を行う時にＲＡＤＩＵＳサーバから得るユーザ情報を用いて、ＢＡＳ内の装置制御バスより制御を行うことを特徴とするパケット通信システム。
【請求項４】
上記請求項１のパケット通信システムにおいて、
上記ＢＡＳに、装置制御のために個別に設けたＯＬＴへの物理回線より、ユーザの帯域制御を行うためのパケットを送受信し、ユーザがパケットを送受信するための帯域の設定を行うことを特徴とする
パケット通信システム。
【請求項５】
上記請求項２のパケット通信システムにおいて、
上記ＢＡＳと上記ＯＬＴ間に設けたユーザパケットを送受信するための物理回線を用いてユーザの帯域制御を行うためのパケットを送受信し、ユーザがパケットを送受信するための帯域の設定を行うことを特徴とする
パケット通信システム。
【請求項６】
上記請求項３のパケット通信システムにおいて、
ＢＡＳ内の装置制御バスを用いて該回線インタフェースに対するユーザがパケットの送受信するための帯域の設定を行うことを特徴とする
パケット通信システム。
【請求項７】
上記請求項４のパケット通信システムにおいて、
上記ＯＮＵ配下に収容するユーザ数あるいはユーザに割り当てる帯域に応じて、上記ＯＮＵと上記ＯＬＴ間に割り当てる、ユーザがパケットを送受信するための帯域を制御することを特徴とする
パケット通信システム。
【請求項８】
上記請求項４のパケット通信システムにおいて、
上記ＯＮＵ配下に収容するユーザごとに上記ＯＬＴと上記ＯＮＵの間でユーザがパケットを受信するための帯域を制御することを特徴とする
パケット通信システム。
【請求項９】
上記請求項５のパケット通信システムにおいて、
上記ＯＮＵ配下に収容するユーザ数やユーザごとに割り当てる帯域に応じて、上記ＯＮＵと上記ＯＬＴの間に割り当てる、ユーザがパケットを送受信するための帯域を制御することを特徴とする
パケット通信システム。
【請求項１０】
上記請求項５のパケット通信システムにおいて、
上記ＯＮＵ配下に収容するユーザごとに上記ＯＬＴと上記ＯＮＵの間でユーザがパケットを受信するための帯域を制御することを特徴とする
パケット通信システム。
【請求項１１】
上記請求項６のパケット通信システムにおいて、
上記ＯＮＵ配下に収容するユーザ数やユーザに割り当てる帯域に応じて、上記ＯＮＵと上記ＯＬＴの間に割り当てる、ユーザがパケットを送受信するための帯域を制御することを特徴とする
パケット通信システム。
【請求項１２】
上記請求項６のパケット通信システムにおいて、
上記ＯＮＵ配下に収容するユーザごとに上記ＯＬＴと上記ＯＮＵ間でユーザがパケットを受信するための帯域を制御することを特徴とする
パケット通信システム。
【請求項１３】
複数の加入者線終端装置と、
該複数の加入者終端装置と接続される分岐装置と、
該分岐装置と接続されるパケット通信装置とを有し、
上記パケット通信装置は上記複数の加入者終端装置への送信データを多重化して上記分岐装置へ送信し、
上記分岐装置は該多重化された送信データを各加入者終端装置にブロードキャストし、
各加入者終端装置は自分宛の送信データを受信するパケット通信システムであって、
上記パケット通信装置は、上記加入者終端装置との間の帯域制御機能を有する加入者線端局装置と、
上記加入者線端局装置に接続され、上記加入者終端装置および加入者線端局装置を経由してネットワークと通信するユーザを認証するための機能を有するサーバを有し、
上記サーバが上記ユーザ認証時に用いるユーザ情報を用い、上記加入者線端局装置がユーザ単位の帯域設定を行うことを特徴とするパケット通信システム。
【発明の詳細な説明】
【０００１】
【発明の属する技術分野】
本発明は、パケット通信装置に係り、特にＰＯＮ（Ｐａｓｓｉｖｅ　Ｏｐｔｉｃａｌ　Ｎｅｔｗｏｒｋ）における帯域制御方法に関する。
【０００２】
【従来の技術】
近年、アクセスネットワークの高速化は急速に進んでおり、光ファイバを用いたＦＴＴＨ（Ｆｉｂｅｒ　Ｔｏ　Ｔｈｅ　Ｈｏｍｅ）が普及しつつある。ＦＴＴＨを実現する主な光ファイバの敷設形態は、▲１▼通信事業者の局舎等とユーザを１対１の光ファイバで接続するＳＳ（Ｓｉｎｇｌｅ　Ｓｔａｒ）型ネットワーク、▲２▼通信事業者とユーザの間に信号の多重分離、電気−光変換を行う能動素子ＲＴ（Ｒｅｍｏｔｅ　Ｔｅｒｍｉｎａｌ）を設置し、通信事業者からＲＴまでを光ファイバで、ＲＴとユーザ間を１対１のメタルケーブルで敷設するＡＤＳ（ＡｃｔｉｖｅＤｏｕｂｌｅ　Ｓｔａｒ）型ネットワーク、▲３▼通信事業者とユーザの間に光スプリッタＳＣ（Ｓｔａｒ　Ｃｏｕｐｌｅｒ）を設置し、局舎からの光信号を分岐し、ユーザまで光ファイバを敷設するＰＤＳ（Ｐａｓｓｉｖｅ　Ｄｏｕｂｌｅ　Ｓｔａｒ）型ネットワーク（国際標準名ではＰＯＮ　：　ＰａｓｓｉｖｅＯｐｔｉｃａｌ　Ｎｅｔｗｏｒｋであり、以下ＰＯＮとする）　の３つに分類される。
ＰＯＮ型ネットワークはすべてのユーザと局舎間を１対１の光ファイバで結ぶＳＳ型ネットワークに対して、ファイバの敷設コストが少ない。また光を分岐するＳＣは受動素子であり信頼性が高く、給電を必要としないので電源設備や停電対策などが必要ない。給電を必要とするＲＴは電源設備や停電対策などが必要となる。このようにＰＯＮ型ネットワークはＦＴＴＨを実現する上で非常に有望な技術である。
図１を用いてＡＴＭ（Ａｓｙｎｃｈｒｏｎｏｕｓ　Ｔｒａｎｓｆｅｒ　Ｍｏｄｅ）を用いるＰＯＮであるＢＰＯＮ（Ｂｒｏａｄｂａｎｄ　ｏｐｔｉｃａｌ　ａｃｃｅｓｓ　ｓｙｓｔｅｍｓ　ｂａｓｅｄ　ｏｎ　Ｐａｓｓｉｖｅ　Ｏｐｔｉｃａｌ　Ｎｅｔｗｏｒｋ）について説明する。ＢＰＯＮは加入者線端局装置ＯＬＴ（Ｏｐｔｉｃａｌ　Ｌｉｎｅ　Ｔｅｒｍｉｎａｔｉｏｎ）（１０）、加入者終端装置ＯＮＵ（Ｏｐｔｉｃａｌ　Ｌｉｎｅ　Ｕｎｉｔ）（１２）、光分岐装置ＳＣ（Ｓｔａｒ　Ｃｏｕｐｌｅｒ）（１１）より構成する（以下、ＯＬＴ、ＳＣ、ＯＮＵによるＰＯＮの構成をＰＯＮシステムと呼ぶ）。ＯＬＴ（１０）は主に通信事業者の局舎等に設置し、ＰＯＮシステムにおける各ＯＮＵ（１２）に対する認証や帯域管理を行う。ユーザ網を終端するＯＮＵ（１２）はユーザから受信したユーザパケットをＡＴＭセルへ変換し、ＯＬＴ（１０）が指定したタイミングでＯＮＵが指定したタイムスロット数分のＡＴＭセルを出力する。ＳＣ（１１）は光ファイバより構成される受動素子であり、ＯＬＴ側の光ファイバ（１６）をＯＮＵ側の複数の光ファイバ（１７−１，１７−２，・・・，１７−ｎ）へ分岐する。ＯＬＴ（１０）が送信したユーザデータはＳＣ（１１）を介し、すべてのＯＮＵへ送信される。また、ＳＣ（１１）はＯＮＵ（１２）が送出した上りユーザパケットを多重し、ＯＬＴ（１０）へ出力する。各ＯＮＵに対するタイムスロット割当てはＯＬＴ（１０）に接続されるＯｐＳ（Ｏｐｅｒａｔｉｏｎ　Ｓｙｓｔｅｍ）（１４）より行われる。ＯｐＳ（１４）−ＯＬＴ（１０）間のインタフェースはＩＴＵ−Ｔ　Ｑ．８３４．１によって規定されている。ここで、ＯＬＴからＯＮＵへの方向を下りとする。また、ＯＮＵからＯＬＴへの方向を上りとする。
図４にＢＰＯＮにおけるフレームフォーマットを示す。図４の上から、下りフレームフォーマット、上りフレームフォーマット、上りフレームフォーマットの一部拡大図を示している。ＯＬＴがＯＮＵへ送信する下りＡＴＭセルは２２４セル周期（１　ｃｙｃｌｅ）となっており、ＯＬＴ（１０）は２７セルに１回、ＯＮＵ（１２）への装置制御や上り帯域を設定するため、ＰＬＯＡＭ（Ｐｈｙｓｉｃａｌ　Ｌａｙｅｒ　ＯＡＭ）セル（２４１）を送信する。ＯＮＵ（１２）はＯＬＴ（１０）より受信したＡＴＭセル（２５２）のセルヘッダに含まれるコネクション識別子ＶＰＩ／ＶＣＩを監視し、自宛てセルのみを取り込み、ユーザ側の物理回線（１８）へユーザデータを送信する。ＯＮＵ（１２）はユーザ（１３）から受信したユーザパケットをＡＴＭセルへ変換し、ＡＴＭセルの先頭に付加ヘッダであるＰＯＮ−ＯＨ（ＰＯＮ−ＯｖｅｒＨｅａｄ）（２５１）を付与してＯＬＴ（１０）へ出力する。ＯＮＵ（１２）がセルを出力するタイミングやスロット数は、ＯＬＴ（１０）が送信する装置制御セルＰＬＯＡＭセル（２４１）に設定することによってＯＬＴがＯＮＵに対して指定する。ＯＮＵがＯＬＴへ送信した上りセルは、ＳＣにおいてＯＬＴ側の同一光ファイバ上に多重（例えば時分割多重）される。各ＯＮＵが送信したセルがＳＣで衝突しないようにするため、ＯＬＴはＰＬＯＡＭセルを用いてレンジングと呼ばれる出力タイミングの調整を行い、ＯＮＵへタイミングを設定する。ＯＬＴは各ＯＮＵに対してタイムスロットを割当てる。すなわち、ＯＮＵ配下のユーザを考慮したタイムスロット割当てを行わない。
ＢＰＯＮシステムの転送方式はＩＴＵ−Ｔ　Ｇ．９８３．１およびＧ．９８３．２によって規定されている。また、ＯＬＴ−ＯＮＵ間の転送をＥｔｈｅｒｎｅｔベースで行う、ＥＰＯＮ（Ｅｔｈｅｒｎｅｔ−ＰＯＮ）システムについては、ＩＥＥＥ　８０２．３ａｈにおいて標準化が進められている。
図６はＦＴＴＨにてユーザがインターネット（３０）へ接続を行うための、ネットワーク構成である。このネットワークは、ユーザアクセスの集約、ユーザ管理、サービス振分け等を行うブロードバンドアクセスサーバ（ＢＡＳ）（２８）、ＢＡＳからユーザデータを受信しＰＯＮシステムへ送信する、またＰＯＮシステムの管理を行うＯＬＴ（１０）、単一の光ファイバ入力を複数の光ファイバへ分岐出力するＳＣ（１１）、ユーザアクセスを終端し、ＯＬＴにしたがってＰＯＮシステム（ＯＬＴ）へユーザデータを送信するＯＮＵ（１２）から構成される。ユーザ（１３）はＯＮＵ（１２）、ＯＬＴ（１０）を経由し、ＢＡＳでユーザ認証された後、インターネットへ接続される。この構成において、ＰＯＮシステムはユーザ宅内に設置するＯＮＵとＢＡＳを結ぶ、帯域が確保された通信経路として使用されている。
【０００３】
【発明が解決しようとする課題】
ＢＰＯＮ、ＥＰＯＮシステムにおいて、ＯＮＵ−ＯＬＴ間は帯域の確保されたデータパスとして使用しており、ＯＬＴ−ＯＮＵ間の帯域制御は各ＯＮＵ単位で行われている。ＦＴＴＨを導入するユーザが増えるにつれて、ＰＯＮシステムではＳＣの分岐数が問題となる。通常ＯＮＵはユーザごとに１台設置するため、１ユーザにつき１分岐の光ファイバを必要とする。より多数のユーザを同一ＰＯＮシステムに収容するためには、ＳＣを多分岐に対応する必要がある。ＳＣの分岐数はＯＬＴ、ＯＮＵ双方に搭載するレーザ出力に起因する物理制約によって制限される。また、多分岐を実現する高出力なレーザは非常に高価である。そこで、分岐数制限を回避する方法として、ＯＮＵに複数のユーザを収容し共有する形態が考えられる。しかしＯＬＴとＢＡＳは独立して動作するため、ＯＬＴはＯＮＵ配下のユーザごとの帯域制御を行うことはなかった。本発明ではＯＬＴ−ＯＮＵ間でユーザごとの帯域制御を行う事を目的とする。
【０００４】
【課題を解決するための手段】
上記目的を達成するため、ＢＡＳとＯＬＴが連携して帯域制御を行う。各ユーザに設定する帯域情報はＲＡＤＩＵＳサーバにあらかじめ登録しておき、ユーザ認証時に呼び出して帯域設定に用いる。ＢＡＳは認証作業によって得たユーザプロファイルを用いてＰＯＮシステムへの帯域制御を行う。ユーザ−ＢＡＳ間の認証にはＰＰＰを用い、ＲＡＤＩＵＳサーバから得た各ユーザの帯域情報をＯＬＴに通知することにより帯域制御を実現する。また、ＯＬＴはユーザデータの識別にＰＰＰｏＥのセッションＩＤを用いる。これは、ＢＡＳ−ユーザ間のセッション確立に伴い生成されるものであり、セッションＩＤごとにユーザパケットをバファリング、シェーピングすることによりユーザ毎の帯域制御を実現する。
【０００５】
【発明の実施の形態】
以下、図面を用いて本発明の実施の形態を説明する。
図８はＢＡＳとＯＬＴを連携し、ＢＡＳより別線にて装置制御を行うネットワーク構成例を示している。図８はＢＡＳとＰＯＮを連携させ、ＢＡＳのユーザ認証時にＲＡＤＩＵＳサーバより得たユーザ帯域情報をＯＬＴに設定することにより、ＯＮＵ配下のユーザごとの帯域制御を実現する構成の一つであり、ＢＡＳ（２８）、ＯＬＴ（１０）、ＯＮＵ（１２）にて構成される。
図９は図８で使用するＢＡＳの機能ブロック図である。ＢＡＳは入力側回線対応部（２８３）、出力側回線対応部（４００）、入力側パケット処理部（２８４）、出力側パケット処理部（２８６）、スイッチ（２８５）、装置制御部（２８１）、管理端末からの制御のためのＯｐＳインタフェース（２８２）より構成する。入力側回線対応部（２８３）は外部よりパケットを受信すると物理レイヤ処理を行い、パケット処理部（２８４）へパケットを転送する。
入力側パケット処理部（２８４）では回線対応部（２８３）より受け取ったパケットのＰＰＰ終端やＩＰレイヤでの転送といったプロトコル処理を行い、スイッチ（２８５）へパケットを転送する。スイッチ（２８５）はパケット処理部（２８４）にて決定した方路へスイッチングを行い、出力側パケット処理部（２８６）へ出力する。出力側パケット処理部（２８６）ではＬ２ＴＰなど出力側回線にあわせたレイヤ２、レイヤ３のプロトコル処理を行い、回線対応部（４００）へ出力する。回線対応部（４００）は物理レイヤ処理を行い、ＯＬＴ（１０）へ出力する。図７にて示す図６におけるＢＡＳとの違いは、回線対応部にＯＬＴ制御のためのインタフェースが追加されている点である。
図２は図８で使用するＯＬＴの機能ブロック図である。ＯＬＴは回線対応部（１００）、スイッチ（１０４）、ＰＯＮインタフェース（１０５）、装置制御部（１０２）、ＯｐＳインタフェース（１０１）より構成される。ＢＡＳ（２８）より受信したデータは回線対応部（１００）にて物理レイヤの終端、方路決定を行いスイッチ（１０４）へと出力する。スイッチ（１０４）は回線対応部（１００）の決定した方路に基づき各ＰＯＮインタフェース（１０５）へパケットを出力する。ＰＯＮインタフェース（１０５）はＯＬＴ（１０）−ＯＮＵ（１２）間の帯域設定や出力タイミングの管理、ＯＬＴ（１０）−ＯＮＵ（１２）間の認証などＰＯＮシステムの管理、各ＯＮＵ（１２）とのデータ送受信を行う。ＰＯＮシステムの管理情報は、ＯｐＳインタフェース（１９）を通して外部端末よりＰＯＮインタフェース（１０５）へ設定する。ＰＯＮインタフェース（１０５）はこの設定情報を用いてＯＬＴ（１０）からの下り帯域を制御し、ＯＮＵ（１２）へ管理パケットを送信することによりＯＮＵ（１２）からのＯＬＴ（１０）への上り帯域制御を実現する。ＰＯＮインタフェース（１０５）は出力側パケット処理部よりパケットを受け取ると、出力先となるＯＮＵ（１２）ごとにバッファし、ＯＮＵ（１２）に割当てられた帯域で光ファイバ（１６）へデータを出力する。
図３は図８にて使用するＯＮＵの機能ブロック図である。ＯＮＵは装置制御部（１２１）、ＰＯＮインタフェース（１２２）、回線対応部（１２３）より構成する。ＰＯＮインタフェース（１２２）はＯＬＴ（１０）から送信されるデータから自宛てパケットのみを抜き出し、回線対応部へ転送する。また、ＯＬＴ（１０）から送信される制御情報をもとに上り帯域制御や送信タイミング制御を行う。
図６に示した構成では、ＰＯＮはＢＡＳ（１８）と独立して動作しており、ＢＡＳ（１８）とＯＮＵ配下のユーザネットワーク（１３）間を接続する、帯域が確保されたデータパスとして使用されている。また、ＯＬＴ（１０）−ＯＮＵ（１２）間の帯域はＯＬＴ（１０）の持つＯｐＳ（１４−１）よりＯＮＵ単位で設定される。
本実施例ではＢＡＳとＯＬＴを連携し、ＢＡＳのユーザ認証より得られたユーザ情報をＯＬＴに反映することによりユーザ単位の帯域制御を実現する。以下、ＥＰＯＮの実施例について説明する。
本実施例ではユーザ認証にＰＰＰを用い、ＯＮＵとユーザ端末を接続する物理回線にＥｔｈｅｒｎｅｔを用いる構成を説明する。ただし、ユーザインタフェースはＥｔｈｅｒｎｅｔに限定されるものではない。物理回線がＥｔｈｅｒｎｅｔである場合、パケットはＰＰＰｏＥによって転送する。ＰＰＰｏＥはＲＦＣ２５１６にて規定されており、パケットフォーマットは図５のようになる。本実施例では、ＯＬＴはブリッジ機能を、ＯＮＵはルータ機能を搭載する事とする。すなわち、ＯＮＵのＰＯＮインタフェース（１２２）はＭＡＣアドレスを持ち、ユーザの付与した送信元ＭＡＣアドレスをＰＯＮインタフェースのＭＡＣアドレスに、宛先ＭＡＣアドレスをＢＡＳの回線対応部（２８７）のＭＡＣアドレスに変更し、ＢＡＳへ送信する。ＯＬＴはＯＮＵのＭＡＣアドレスをそのままＢＡＳへ送信する。ただし、ＯＬＴ、ＯＮＵに搭載するＭＡＣ処理機能はどちらかに限定されるものではない。ＯＮＵはＯＬＴが出力したパケットの宛先ＭＡＣアドレスを監視し、自宛てパケットを取り込むものとする。ＢＡＳはユーザ認証時、ユーザ情報をＲＡＤＩＵＳ（Ｒｅｍｏｔｅ　Ａｕｔｈｅｎｔｉｃａｔｉｏｎ　Ｄｉａｌ−Ｉｎ　Ｕｓｅｒ　Ｓｅｒｖｉｃｅ）サーバ（２６）へ問い合わせ、認証やユーザのネットワーク設定のためのユーザ情報を得る。ＲＡＤＩＵＳサーバを規定しているＲＦＣ２１３８はＰＯＮでの使用を想定していないためＰＯＮの帯域制御のために使用するパラメタのための属性が定義されていない。そこで、機器ベンダが自由に使用することが許されているＶｅｎｄｅｒ　Ｓｐｅｃｉｆｉｃ属性に帯域情報を格納する。また、独自に属性が割当てられていないＩＤに所望のパラメタを含めることも可能である。
図２７にＲＡＤＩＳＵサーバに登録する属性例を示す。これにより、ユーザ認証と同時にＢＡＳはユーザの帯域情報を得ることができる。
ＢＡＳからＯＬＴへ帯域制御を行う構成として、ＯＬＴの持つ装置制御インタフェースを用いＢＡＳから帯域制御を行う図８の構成、ＢＡＳがＯＬＴへユーザパケットを送信する回線インタフェースを用いて制御パケットを送信し（以下、インチャネル通信とする）、ＯＬＴ制御を実現する図１５の構成、ＯＬＴをＢＡＳの回線インタフェースとして取り込みＢＡＳより直接ＯＬＴを制御する図１８の構成が考えられる。
また、帯域の制御方式として収容するユーザ数やユーザ帯域に応じてＯＮＵに割当てる帯域を変化させる方式、ユーザ単位でＯＬＴ−ＯＮＵ間の帯域を制御する方式の２つが考えられる。この２つの帯域制御方式について、装置構成ごとに図を用いて説明する。
図８を用いてＢＡＳからＯＬＴの下り帯域制御にＯＬＴが持つ装置管理インタフェースを用いる構成について説明する。ＯｐＳ−ＯＬＴ間で装置制御に必要となる手順はＩＴＵ−Ｔ　Ｑ．８３４．１にて定義されており、ＯＬＴのインタフェースとしてＱ３、ＳＮＭＰ（Ｓｉｍｐｌｅ　ＮｅｔｗｏｒｋＭａｎａｇｅｍｅｎｔ　Ｐｒｏｇｒａｍ）、ＣＯＲＢＡを使用することができる。また、ＢＡＳの回線対応部にてＯＬＴの装置制御を実現するため、回線対応部にはＯＬＴ制御用インタフェースを有する図１４の構成を持つ回線対応部を用いる。この回線対応部はユーザデータの物理終端を行う物理レイヤ処理部（４００１）と制御データの物理終端を行う物理レイヤ処理部（４００２）、ＯＬＴを制御するためのパケットを生成するＯＬＴ制御部（４００３）、パケット処理部（２８６）からの制御信号を受信しＯＬＴ制御部（４００３）や帯域制御部（４００４）へと送信する制御インタフェース（４００５）、下り帯域の帯域制御を行う帯域制御部（４００４）、パケット処理部とユーザデータの送受信を行うパケット処理部インタフェース（４００６）から構成する。
図８の構成において、ユーザ数や帯域に応じてＯＮＵに割当てる帯域を変化させる方式について説明する。この方式では従来と同じくＯＮＵ単位で帯域制御を行うが、ＯＮＵに対する帯域をユーザ数や割当て帯域によって変化させる。
図２２にＢＡＳ−ＯＬＴ−ＯＮＵ−ユーザ間の制御シーケンスを示す。ＢＡＳ（２８）はＯＬＴ（１０）の起動後、ＯＬＴ（１０）の初期設定を行う（９０１）。ＢＡＳ（２８）は初期設定（９０１）において、制御信号を処理するための、個々のＯＮＵ（１２）に対して帯域をあらかじめ割り当てる。次にＯＬＴは未登録ＯＮＵの探索を行う（９０２）。ＯＮＵ（１２）はこれに対応して、ＯＬＴ（１０）へ登録要求を送信する。ＯＬＴ（１０）はＯＮＵ（１２）の出力した登録要求を受信し、認証を行う（９０３）。正しく認証が行われた場合、ＯＬＴ（１０）はＯＮＵ（１２）に初期設定で割り当てた制御帯域の使用を許可し、ＯＮＵ（１２）へ通知する（９０４）。ＯＬＴ（１０）にてＯＮＵ（１２）が認証されると、ユーザはシーケンス９０４にて許可した制御帯域を用いてＢＡＳ（２８）へＰＰＰｏＥ確立のための認証要求パケットを送信する（９０５）。ＰＰＰｏＥが正しく確立されるとユーザはＰＰＰの確立を行う（９０６）。ＢＡＳ（２８）はＰＰＰ確立中にユーザ認証要求パケットを受信すると、ＲＡＤＩＵＳサーバ（２６）にユーザ情報を要求し、認証の可否を判断する。認証情報が正しかった場合、ＢＡＳ（２８）はユーザ情報よりユーザに割当てられた帯域情報を取得し、ＯＮＵ（１２）ごとに収容するユーザの帯域を積算後、ＯｐＳインタフェース（１９）よりＯＬＴ（１０）へＯＮＵ（１２）ごとの帯域情報を更新する（９０７）。その後、ユーザに対して認証許可を送信し、ＩＰを用いたユーザ通信を開始する。
次に図２３を用いてユーザ−ＢＡＳ間で行われるプロトコル処理や設定について詳細に説明する。ＯＬＴ（１０）は起動すると（７０１）、ＯＮＵの初期設定を行う（７０２）。初期設定の中で、ＯＮＵに対する初期帯域設定を行う。初期帯域はユーザ−ＢＡＳ間でＰＰＰｏＥやＰＰＰを確立するための、制御のための帯域であり、あらかじめ決めておいた固定帯域を設定する。初期設定（７０２）を終えると、ＯＬＴは未登録ＯＮＵの探索、認証を行い（７０３）、認証が正しく行われると初期設定（７０２）にて設定したＯＬＴ−ＯＮＵ間制御帯域の使用をＯＮＵに許可する（７０３）。
ユーザ（１３）は（７０３）にてＯＬＴ−ＯＮＵ間帯域が確保されると、ＢＡＳ（２８）−ユーザ（１３）間でＰＰＰｏＥ確立を開始し（７０４）、ＯＬＴ−ＯＮＵ間の制御帯域を用いてＰＰＰｏＥ確立のためのパケットをＢＡＳへ送信する（７０５）。
ＢＡＳ（２８）−ユーザ（１３）間で正しくＰＰＰｏＥが確立されると（７０６）、ユーザ（１３）はＰＰＰの確立を開始する（７０７）。ＰＰＰの確立フェーズでは、ＬＣＰ確立（７０８）、ユーザ認証（７１０）、ＩＰＣＰ確立（７１４）が行われる。以下、順に説明する。ＰＰＰ確立フェーズでは、まずデータリンク層のネゴシエーションを行うＬＣＰ（Ｌｉｎｋ　Ｃｏｎｔｒｏｌ　Ｐｒｏｔｏｃｏｌ）が行われる（７０８）。正しくＬＣＰが設定されると（７０９）、次にユーザ認証を行う。ユーザ認証の手順としてはＰＡＰ（Ｐａｓｓｗｏｒｄ　Ａｕｔｈｅｎｔｉｃａｔｉｏｎ　Ｐｒｏｔｏｃｏｌ）とＣＨＡＰ（Ｃｈａｌｌｅｎｇｅ　Ｈａｎｄｓｈａｋｅ　Ａｕｔｈｅｎｔｉｃａｔｉｏｎ　Ｐｒｏｔｏｃｏｌ）を使うことができ、どちらかの手順を用いてユーザ認証を行う（７１０）。ユーザ認証が正しく行われた場合（７１１）、ユーザ認証時（７１０）にＲＡＤＩＵＳサーバ（２６）より取得したユーザ帯域情報を用いてＯＮＵごとにユーザの帯域を積算し、ＯＬＴ−ＯＮＵ間の帯域としてＯＬＴ（１０）へ設定する（７１２）。ユーザを考慮したＯＮＵ帯域の更新が終了すると（７１２）、ユーザのＩＰ設定などネットワーク設定を行うＩＰＣＰ（Ｉｎｔｅｒｎｅｔ　Ｐｒｏｔｏｃｏｌ　Ｃｏｎｔｒｏｌ　Ｐｒｏｔｏｃｏｌ）の確立を行い（７１４）、正常に終了するとＩＰを用いたユーザ通信が可能となる（７１６）。
この方式を実現するため、ＯＬＴ（１０）内部に図１０の構成を持つＰＯＮインタフェース（１０６）を用い、ＯＮＵ単位にユーザパケットをバッファリングすることにより帯域制御を行う。このＰＯＮインタフェース（１０６）はＢＡＳ（２８）から受信したユーザパケットを回線対応部（１００）、スイッチ（１０４）経由で受信する。このＰＯＮインタフェース（１０６）はスイッチインタフェース（１０６２）にてデータを受信し、バッファ（１０６４）にてユーザパケットをバッファする。データ振分け部（１０６４）はバッファにためたユーザパケットをＯＮＵごとにＯＮＵバッファ（１０６５）にバッファリングする。下りＰＯＮ制御部（１０６７）はＯＮＵ帯域管理テーブル（１０６８）のＯＮＵごとの帯域情報をもとにデータ読み出しのスケジューリングを行い、ＯＮＵごとに指定された帯域を満たすよう帯域制御部より読み出しを行う。帯域制御部（１０７３）は下りＰＯＮ制御部（１０６７）より指示されたＯＮＵより指定されたバイト数パケットの出力を行う。ただし、フラグメント処理を行わないようにするため、設定する読み出しデータ量は１５００バイト単位とし、パケット単位で残り送信可能バイト数が１５００バイトを下回った時点でそのＯＮＵバッファからの送信を終了する。
図８の構成においてユーザ単位でＯＬＴ−ＯＮＵ間の帯域を制御する方式について説明する。本方式では、ＢＡＳはユーザ認証時に得たユーザ帯域情報を用いてＯＬＴへユーザ帯域設定を行い、ＯＬＴは設定されたユーザ帯域情報に基づきユーザデータを出力する。
本実施例ではＯＬＴがユーザパケットを識別するための手段としてＰＰＰｏＥのセッションＩＤ（２４３）を用いる。セッションＩＤはＰＰＰｏＥのセッションごとに決定されるものであり、ＯＬＴが下りユーザ帯域設定を実現するために用いるユーザ管理テーブルの検索キーとして使用する。
図２４を用いてＢＡＳ−ＯＬＴ−ＯＮＵ−ユーザ間で行う制御を説明する。ＢＡＳ（２８）もしくはＯＬＴ（１０）のもつＯｐＳはＯＬＴ（１０）の起動後、ＯＬＴに対して初期設定を行う（９１１）。従来のＰＯＮシステムではＯＬＴの初期化と同時にＯＮＵに対する帯域設定を行う。一方、本実施例では下り帯域の設定を、ＢＡＳの得たユーザ情報を元に行うため、ＯＮＵ登録時点で下り帯域についての設定は行わず、上り帯域の設定のみを行う。ＯＬＴの初期化が終了すると（９１１）、ＯＬＴ（１０）が未登録ＯＮＵの探索を行う（９１２）。ＯＮＵ（１２）はこれを受け、ＯＬＴに対して認証要求を送信する（９１３）。ＯＮＵの認証が終わると、ユーザはＢＡＳ（２８）へＰＰＰｏＥ確立、ＰＰＰの確立を行う。図２５を用いてＰＰＰｏＥ、ＰＰＰの確立手順とユーザの下り帯域設定手順について述べる。
ＰＰＰｏＥセッション（９１５）では、まずユーザからユーザ認証を行うＢＡＳ探索の為のＰＡＤＩ（ＰＰＰｏＥ　Ａｃｔｉｖｅ　Ｄｉｓｃｏｖｅｒｙ　Ｉｎｉｔｉａｔｉｏｎ）が送信される（９１５１）。これに呼応して、ＢＡＳ（２８）もセッションＩＤ番号０のＰＡＤＯ（ＰＰＰｏＥ　Ａｃｔｉｖｅ　Ｄｉｓｃｏｖｅｒｙ　Ｏｆｆｅｒ）を出力する（９１５２）。ＯＬＴでの帯域制御はセッションＩＤごとに行われるが、セッションＩＤ番号０については主にユーザ−ＢＡＳ間の制御シーケンスで用いられるため、あらかじめ制御に用いる帯域を割当てておく。ＢＡＳ（２８）からユーザ（１３）へ送信する最初のパケットであるＰＡＤＯ（９１５３）もこの帯域を用いてＯＮＵへ出力する（９１５３）。この後、ＰＡＤＯは下りＰＯＮ制御部（１０６７）にて帯域管理テーブルにしたがってユーザバッファより読み出され、ＯＮＵ（１２）へ出力される。ＯＮＵ（１２）は送信されたＥｔｈｅｒｎｅｔフレームの宛先ＭＡＣアドレスを監視し、自宛てフレームを受信し、配下のネットワーク（１８）へと送信する。ＰＡＤＯ（９１５２）を受信したユーザ（１３）はＰＡＤＲ（ＰＰＰｏＥ　Ａｃｔｉｖｅ　Ｄｉｓｃｏｖｅｒｙ）を出力し（９１５４）、セッション確立の為のセッションＩＤをＢＡＳ（２８）に要求する。これを受信したＢＡＳ（２８）はＰＰＰｏＥセッションＩＤを発行しＯＬＴへ登録、あらかじめ決められた制御帯域を仮登録する（９１５５）。その後、ＢＡＳ（２８）はユーザ（１３）に対してＰＰＰｏＥセッションＩＤを設定するためのＰＡＤＳ（ＰＰＰｏＥ　Ａｃｔｉｖｅ　Ｄｉｓｃｏｖｅｒｙ　Ｓｅｓｓｉｏｎ　Ｃｏｎｆｉｒｍａｔｉｏｎ）を、ユーザのセッションに対して一意に設定したセッションＩＤを用いてＯＬＴへ出力する（９０５６）。ＯＬＴはＢＡＳからのＰＡＤＳを受信すると、セッションＩＤを確認しＢＡＳより設定された制御のための帯域にてＯＮＵへＰＡＤＳを出力し（９０５７）、ＰＰＰｏＥの確立を完了する。ユーザはＰＡＤＳ（９１５７）を受信することにより自分に設定されたセッションＩＤを認識し、次の出力からはこのセッションＩＤを用いて通信を行う。ＯＬＴ（１０）に対してユーザ（１３）と対応するセッションＩＤが登録されたことにより、このセッションＩＤを用いたＢＡＳ−ユーザ間通信が今後可能となる。ＰＰＰｏＥの確立が完了した後、続いてＰＰＰの確立を行う（９１６）。ＰＰＰではまずＬＣＰ（Ｌｉｎｋ　Ｃｏｎｔｒｏｌ　Ｐｒｏｔｏｃｏｌ）が行われ（９１６１）、データリンク層のネゴシエーションが行われる。次に、ユーザ認証が行われる。ＰＰＰではユーザ認証手順としてＰＡＰ（Ｐａｓｓｗｏｒｄ　ＡｕｔｈｅｎｔｉｃａｔｉｏｎＰｒｏｔｏｃｏｌ）とＣＨＡＰ（Ｃｈａｌｌｅｎｇｅ　Ｈａｎｄｓｈａｋｅ　Ａｕｔｈｅｎｔｉｃａｔｉｏｎ　Ｐｒｏｔｏｃｏｌ）を使うことが出来るが、ここではＰＡＰのみについて述べる。ＰＡＰでは、ユーザからのＡｕｔｈｅｎｔｉｃａｔｉｏｎ　Ｒｅｑｕｅｓｔ（９０６２）によりユーザＩＤ、Ｐａｓｓｗｏｒｄが送信される。これを受信したＢＡＳはＲＡＤＩＵＳサーバを用いてユーザＩＤ、Ｐａｓｓｗｏｒｄの確認を行い（９１６３）、正しければ認証と同時に得たユーザ情報を用いてＯＬＴへ下り帯域を本登録する（９１６４）。本登録後、ユーザに対してＡｕｔｈｅｎｔｉｃａｔｉｏｎ−Ａｃｋを送出し（９１６５）、認証を終了する。
認証に失敗した場合、ユーザに対してＡｕｔｈｅｎｔｉｃａｔｉｏｎ−Ｎａｋを返し、ＯＬＴへ設定したセッションＩＤを破棄する。この場合、ユーザが再度登録を試みる場合にはＰＰＰｏＥのセッションから張りなおす必要がある。正しく認証が行われた場合、ＩＰＣＰ（Ｉｎｔｅｒｎｅｔ　Ｐｒｏｔｏｃｏｌ　Ｃｏｎｔｒｏｌ　Ｐｒｏｔｏｃｏｌ）を用いてユーザのネットワーク設定を行い、ユーザの通信を開始する。
次に図２６を用いてＢＡＳが行うプロトコル処理や設定について詳細に説明する。ＢＡＳ（２８）はＯＬＴ（１０）が起動するとＯＬＴ（１０）の初期設定を行う（８０２）。初期設定の中で、ＯＮＵに対する上り帯域設定を行う。下り帯域についてはＰＰＰが確立しユーザ認証が正しく行われた時点で設定する。初期設定が終了すると、ＯＬＴはＯＮＵの探索を行い、未登録ＯＮＵに対して認証を行い、また上り帯域の割当てを行う（８０３）。ＯＮＵの認証が正しく行われると、ユーザ（１３）はＰＰＰｏＥ確立のためのパケットをＢＡＳへ送信する（８０４）。下り帯域の設定はまだ行っていないが、ＰＰＰｏＥを確立するために用いるセッションＩＤ番号０については初期設定を行うときにあらかじめ制御のための帯域を割り当てる。また、ユーザとの間でＰＰＰｏＥセッションＩＤが決まると、そのセッションＩＤをＯＬＴに登録しする。また、その時の帯域は、制御を行うための帯域としてあらかじめ定義しておく。ＢＡＳ（２８）−ユーザ（１３）間で正しくＰＰＰｏＥが確立されると（８０６）、ユーザ（１３）はＰＰＰの確立を開始する（８０８）。ＰＰＰの確立フェーズでは、ＬＣＰ確立（８０９）、ユーザ認証（８１１）、ＩＰＣＰ確立（８１２）が行われる。以下、順に説明する。ＰＰＰ確立フェーズでは、まずデータリンク層のネゴシエーションを行うＬＣＰ（Ｌｉｎｋ　Ｃｏｎｔｒｏｌ　Ｐｒｏｔｏｃｏｌ）が行われる（８０９）。正しくＬＣＰが設定されると（８１０）、次にユーザ認証を行う。ユーザ認証の手順としてはＰＡＰ（Ｐａｓｓｗｏｒｄ　Ａｕｔｈｅｎｔｉｃａｔｉｏｎ　Ｐｒｏｔｏｃｏｌ）とＣＨＡＰ（Ｃｈａｌｌｅｎｇｅ　Ｈａｎｄｓｈａｋｅ　Ａｕｔｈｅｎｔｉｃａｔｉｏｎ　Ｐｒｏｔｏｃｏｌ）を使うことができ、どちらかの手順を用いてユーザ認証を行う（８１１）。ユーザ認証が正しく行われた場合（８１２）、ユーザ認証時（８１１）にＲＡＤＩＵＳサーバ（２６）より取得したユーザ帯域情報をＯＬＴの帯域管理テーブル（１０６８）へ設定する（８１３）。ユーザ認証が完了すると（８１２）、ユーザのＩＰ設定などネットワーク設定を行うＩＰＣＰ（Ｉｎｔｅｒｎｅｔ　Ｐｒｏｔｏｃｏｌ　Ｃｏｎｔｒｏｌ　Ｐｒｏｔｏｃｏｌ）を行い（８１４）、正常に終了するとＩＰを用いたユーザ通信が可能となる（８１７）。
この方式を用いる場合にＰＯＮインタフェース（１０５）の構成について、図１２を用いて説明する。ＰＯＮインタフェース（１０６）はスイッチインタフェース（１０６２）、バッファ（１０６４）、データ振分け部（１１６６）、帯域制御部（１１７３）、ユーザバッファ（１０６５）、下りＰＯＮ制御部（１０６７）、上りＰＯＮ制御部（１０７０）、ＯＡＭ制御部（１０６７）、物理レイヤ処理部（１０７２）、制御インタフェース（１０６１）、ユーザ帯域制御テーブル（１１６８）より構成する。
ＢＡＳ（２８）はユーザを正しく認証すると、ユーザ帯域情報に基づいたユーザ帯域をＯｐＳインタフェース経由でＯＬＴ（１０）に対して設定する。ＢＡＳのＯｐＳインタフェースもしくはＯＬＴのＯｐＳより送信された帯域設定情報はＯＬＴのＯｐＳインタフェースにて終端し、装置制御部を介してＰＯＮインタフェース（１０６）の制御インタフェース（１０６１）へ送信する。制御インタフェース（１０６１）は帯域設定情報を受信すると、ユーザ帯域制御テーブル（１０６８）へユーザのセッションＩＤ、設定する帯域を書き込む。
ＰＯＮインタフェース（１０６）において、ユーザから受信した上りパケットの処理について説明する。ＰＯＮインタフェース（１０６）はユーザが送信したＰＰＰｏＥパケットを受信すると、物理レイヤ処理部（１０７２）にて物理レイヤの終端を行い、上りＰＯＮ制御部（１０７０）へ送信する。上りＰＯＮ制御部（１０７０）はＯＡＭパケットやユーザデータに付与される付加ヘッダとユーザデータの分離を行う。分離を行ったユーザデータはバッファ（１０６３）へ送信し、スイッチインタフェース（１０６２）を通してスイッチへ送信する。上りＰＯＮ制御部（１０７０）にて分離したＯＡＭパケットはＯＡＭ制御部（１０６９）へ送信し、装置制御情報を下りＰＯＮ制御部（１０６７）へ送る。
ＰＯＮインタフェース（１０６）において、ＢＡＳ（２８）から受信した下りパケットの処理について説明する。ＰＯＮインタフェース（１０６）はＢＡＳ（２８）が送信したＰＰＰｏＥパケットを受信すると、スイッチインタフェース（１０６２）を経由してバッファ（１０６３）にデータをためる。データ振分け部はバッファのパケットをセッションＩＤ毎に振分け、セッションＩＤごとに管理されたユーザバッファにためる。下りＰＯＮ制御部（１０６７）はユーザ帯域制御テーブル（１１６８）の情報を元にデータ読み出しのスケジューリングを行い、ユーザ（セッションＩＤ）ごとに指定された帯域を満たすよう帯域制御部へ指示を与える。帯域制御部（１１６６）は下りＰＯＮ制御部（１１７３）より指示されたセッションＩＤから指定されたバイト数パケットの出力を行う。ただし、フラグメント処理を行わないようにするため、設定する読み出しデータ量は１５００バイト単位とし、パケット単位で残り送信可能バイト数が１５００バイトを下回った時点でそのセッションＩＤからの送信を終了する。
下りＰＯＮ制御部（１０６７）はユーザ帯域制御テーブル（１１６８）より下りユーザ帯域情報を読み出し、帯域情報に従ってユーザバッファよりデータを読み出す。また、ＯＡＭ制御部（１０６９）からの要求によるＯＡＭパケットの挿入や、装置制御パケットの送信も行う。ＢＡＳがユーザを認識しＰＰＰｏＥセッションを確立するまでの間、ＰＰＰｏＥセッションＩＤ　は０番を使用する。そのため、本方式ではセッションＩＤ　０番は装置制御のためのＩＤとして予約し、あらかじめ一定の帯域を割当てておく。
ＢＡＳからのインチャネル通信により、ＯＬＴ制御を実現する図１５の構成について説明する。この方式ではＯＬＴ制御のために個別インタフェースを設けず、ユーザパケットと制御パケットを同一物理回線上に多重する構成である。図８では制御パケットの転送に用いる物理回線を用いるのに対して、図１５ではユーザパケットの転送に用いる物理回線と同じ物理回線を用いることが違いである。ＢＡＳ、ＯＬＴの動作はは図８の構成と同様である。図１５ではＢＡＳ側で制御パケットをユーザパケットに多重し、ＯＬＴで制御パケットをユーザパケットと分離する必要がある。この機能を実現するため、ＯＬＴに制御データ分離部を追加し、装置制御部へ制御データを送信する。ＢＡＳの機能ブロックを図１６に、ＯＬＴの機能ブロックを図１７に示し、制御データの流れを説明する。
ＢＡＳ（２８）は通常のユーザパケットと同様に回線インタフェース（３４）を使用して制御パケットをＯＬＴ（２８）へ送信する。制御パケットであることを区別するため、装置制御用に専用のＰＰＰｏＥセッションＩＤを割当て、ＰＰＰｏＥヘッダに反映する。制御パケットはユーザパケットと共に回線対応部（１００）に入力され、制御データ分離部（１０３）に入力される。制御データ分離部（１０３）は入力されたパケットのＰＰＰｏＥセッションＩＤを監視し、制御用に割当てたＰＰＰｏＥセッションＩＤが検出されると、ＯＬＴの装置制御部（１０２）へ制御パケットを送信する。装置制御部（１０２）はこのデータを元にユーザ帯域設定や装置内設定を行う。図１５の構成は図８の構成に対してＯＬＴを制御する手段が異なるだけなので、図８と同様に２つの帯域制御方法が適用できる。
次に、図１８を用いてＢＡＳとＯＬＴ部を統合する構成について説明する。この構成ではＯＬＴのＰＯＮインタフェース相当の機能をＢＡＳの回線インタフェースとして収容する。ＯＬＴインタフェース（３６１）はＢＡＳ（２８）のパケット処理部（３３２）へ接続され、パケット処理部のマイコンバス（３１２）に直接制御する。ただし、回線インタフェースを制御する制御線はパケット処理部の装置構成によるため、マイコンインタフェースに限る物ではない。ユーザの認証、下り帯域設定の手順は図８の構成を用いた場合と同様であり、ＯＬＴ相当部への制御手順、ＰＯＮインタフェースではなくＯＬＴインタフェースを搭載している点が異なる。図１９、図２０を用いてマイコンバスを用いたＯＬＴへのユーザ帯域設定の手順を示す。
図１９はＢＡＳとＯＬＴを統合し、ＢＡＳ（２８）にＯＬＴインタフェース（３６１）を搭載した場合のＢＡＳの機能ブロック図である。ＯＬＴに搭載するＰＯＮインタフェースとＯＬＴインタフェースの違いは、パケット処理部からの制御線であるマイコンインタフェースに対応するＣＰＵインタフェース（３６１２）、パケット処理部とデータの送受信を行う内部インタフェース（３６１１）を備える点である。ＢＡＳのＯｐＳよりＯＬＴインタフェース（３６１）の回線対応部への設定を行う場合、ＢＡＳは回線対応部と直接接続するパケット処理部を介して設定を行う。ＢＡＳ（２８）のＯｐＳインタフェース（２８２）にて受信したＯＬＴインタフェース（３６１）の装置制御情報は装置制御部（２８１）へ入力し、マイコンバスへ出力する。マイコンバスへ出力した装置制御情報はパケット処理部（３３２）を経由してＯＬＴインタフェース（３６１）のＣＰＵインタフェースに転送する。ＣＰＵインタフェース（３６１２）は受信した装置制御情報をＯＬＴインタフェース内へ転送し、各ブロックへ設定を行う。また、パケット処理部（３３２）よりＯＬＴインタフェースへ設定を行う場合にも、パケット処理部のマイコンバスを用いて同様に設定を行う。図２１はＢＡＳにおけるパケット処理部（２８６）の機能ブロック図である。スイッチへユーザデータの送信を行うスイッチインタフェース（２８６２）、マイクロプロセッサを搭載し、ユーザパケットのプロトコル処理や出力方路決定を行うパケット処理エンジン（２８６３）、ＢＡＳ内の装置制御バス（２８９）とパケット処理部（３３３）のマイコンバス（３１２）を変換する装置制御インタフェース（２８６４）、ＢＡＳ内の装置制御バス（２８９）とパケット処理部内のマイコンバス（３１２）を変換し、ＢＡＳの装置管理部（２８１）からの制御情報をパケット処理部内へ伝達する装置制御部インタフェース（２８６１）から構成される。ＯＬＴインタフェース（３６１）の制御バス（３１２）はパケット処理部（３３２）のマイコンバスにそのまま接続するため、ＯｐＳやパケット処理エンジンからの設定が可能となる。図１８の構成において、上記２つの方式によって帯域制御を行う事ができる。
【０００６】
【発明の効果】
本発明により、ＯＮＵ配下のユーザに対する帯域制御を実現することが可能となる。ＯＮＵ単位での帯域制御を行った場合、ＢＡＳのユーザ認証で得たユーザ数、ユーザ帯域より各ＯＮＵに収容人数や帯域から積算した、適切な帯域割り当てを行うことができる。ユーザ単位で帯域制御を行った場合、ＯＮＵ配下のユーザに対して設定した帯域を割当てることが可能である。
【図面の簡単な説明】
【図１】一般的なＰＯＮシステムのネットワーク構成例。
【図２】図１にて用いるＯＬＴの装置構成例。
【図３】図１にて用いるＯＮＵの装置構成例。
【図４】ＢＰＯＮにおける上り下りフレームフォーマット。
【図５】ＰＰＰｏＥのフレームフォーマット。
【図６】図１の一般的なＰＯＮとＢＡＳを接続したネットワーク構成例。
【図７】図６にて用いるＢＡＳの装置構成例。
【図８】ＢＡＳとＯＬＴを連携し、ＢＡＳより別線にて装置制御を行うネットワーク構成例。
【図９】図８におけるＢＡＳの装置構成例。
【図１０】ＯＮＵ単位で帯域制御を行う方式において、ＯＬＴに搭載するＰＯＮインタフェースの装置構成例。
【図１１】図１０において搭載するＯＮＵ帯域制御テーブルの例。
【図１２】ユーザ単位で帯域制御を行う方式でＯＬＴに搭載するＰＯＮインタフェースの装置構成例。
【図１３】図１２においてユーザ帯域制御テーブルに搭載するテーブル例。
【図１４】ＢＡＳとＯＬＴを連携させＢＡＳより別線にて帯域制御を行う図８の方式において、ＯＬＴ制御を行うためのＱ．９８３．１に準ずるインタフェースを有する回線対応部の装置構成例。
【図１５】ＢＡＳとＯＬＴを連携させ、ＢＡＳよりＯＬＴへ帯域制御を行う構成にて、ＯＬＴの制御パケットをＢＡＳからのインチャネル通信により行うネットワーク構成例。
【図１６】ＢＡＳよりＯＬＴへインチャネル通信を行う図１５の構成において用いるＢＡＳの装置構成例。
【図１７】ＢＡＳからのインチャネル通信によりＯＬＴの装置制御を行う図１５の構成例におけるＯＬＴの装置構成例。
【図１８】ＢＡＳにてＯＬＴを回線インタフェースとして収容し、一体で使用するネットワーク構成例。
【図１９】ＢＡＳにＯＬＴを回線インタフェースとして収容し、一体で使用する図１８におけるＢＡＳの装置構成例。
【図２０】ＢＡＳにＯＬＴを回線インタフェースとして収容し、一体で使用するＢＡＳの装置構成例である図１９におけるＯＬＴインタフェースの装置構成例。
【図２１】ＢＡＳにＯＬＴを回線インタフェースとして収容し、一体で使用するＢＡＳの装置構成例である図１９におけるパケット処理部の装置構成例。
【図２２】ＯＮＵ配下に収容するユーザ数やユーザ帯域に応じてＯＮＵに割当てる帯域を制御する方式における、ＢＡＳ−ＯＬＴ−ＯＮＵ間の帯域割り当てシーケンス。
【図２３】ＯＮＵ配下に収容するユーザ数やユーザ帯域に応じてＯＮＵに割当てる帯域を制御する方式において、ＢＡＳが行う制御フロー。
【図２４】ＯＮＵ配下に収容するユーザごとに帯域制御を行う方式における、ＢＡＳ−ＯＬＴ−ＯＮＵ間の装置制御シーケンス。
【図２５】図２４においてＢＡＳ、ＯＬＴ、ユーザ間でやりとりされるＰＰＰｏＥおよびＰＰＰシーケンス。
【図２６】ＯＮＵ配下に収容するユーザごとに帯域制御を行う方式において、ＢＡＳが行う制御フロー。
【図２７】ＲＡＤＩＵＳサーバにて設定するユーザアトリビュートの設定例。
【図１】
2004096579.tif 000003
【図２】
2004096579.tif 000004
【図３】
2004096579.tif 000005
【図４】
2004096579.tif 000006
【図５】
2004096579.tif 000007
【図６】
2004096579.tif 000008
【図７】
2004096579.tif 000009
【図８】
2004096579.tif 000010
【図９】
2004096579.tif 000011
【図１０】
2004096579.tif 000012
【図１１】
2004096579.tif 000013
【図１２】
2004096579.tif 000014
【図１３】
2004096579.tif 000015
【図１４】
2004096579.tif 000016
【図１５】
2004096579.tif 000017
【図１６】
2004096579.tif 000018
【図１７】
2004096579.tif 000019
【図１８】
2004096579.tif 000020
【図１９】
2004096579.tif 000021
【図２０】
2004096579.tif 000022
【図２１】
2004096579.tif 000023
【図２２】
2004096579.tif 000024
【図２３】
2004096579.tif 000025
【図２４】
2004096579.tif 000026
【図２５】
2004096579.tif 000027
【図２６】
2004096579.tif 000028
【図２７】
2004096579.tif 000029